(57)【要約】【課題】種類別に整然と区分けされた状態で且つ外部から容易に識別できる状態で多くの飲料缶を立体的に格納することができ、しかも所望の飲料缶を一つずつ容易に取り出すことのできる飲料缶の展示販売ケースを提供する。【解決手段】缶展示ケースＡと、この缶展示ケースＡを載置する台枠Ｂとからなり、前記缶展示ケースＡは、上端に形成された缶投入口１から下端前面に形成された缶取出口３に向かって、前面側と後面側とにつづら折り状に連続しながら緩やかに傾斜した缶収納通路２を左右方向に複数列配置され、該缶展示ケースＡは缶収納通路２に収納された飲料缶Ｃが外部から透視確認できるように少なくともその一部が透明な素材で形成され、前記缶収納通路２は収納された飲料缶Ｃが自重により自然転動できる傾斜角で形成されている構造。【選択図】        図２
2004267322.tif 000002
【特許請求の範囲】
【請求項１】
缶展示ケース（Ａ）と、この缶展示ケース（Ａ）を載置する台枠（Ｂ）とからなり、前記缶展示ケース（Ａ）は、上端に形成された缶投入口（１）から下端前面に形成された缶取出口（３）に向かって、前面側と後面側とにつづら折り状に連続しながら緩やかに傾斜した缶収納通路（２）を左右方向にして複数列配置され、該缶展示ケース（Ａ）は缶収納通路（２）に収納された飲料缶（Ｃ）が外部から透視確認できるように少なくともその一部が透明な素材で形成され、前記缶収納通路（２）は収納された飲料缶（Ｃ）が自重により自然転動できる傾斜角で形成されている飲料缶の展示販売ケース。
【請求項２】
缶投入口（１）が上面に向かって開口したラッパ状の形態で形成され、これら隣接する各缶投入口（１）が上下に少しずつ位置をずらして段差状に配置されている請求項１に記載の飲料缶の展示販売ケース。
【請求項３】
台枠（Ｂ）の内部が缶格納スペース（５）に形成され、台枠（Ｂ）の壁面の一部に開閉扉（６）が設けられており、台枠（Ｂ）の底面にキャスター（７）が設けられている請求項１または２に記載の飲料缶の展示販売ケース。
【発明の詳細な説明】
【０００１】
【発明が属する技術分野】
本発明は、スーパーマーケット等においてジュース等のごとき飲料物を内蔵した円筒状の飲料缶を整理陳列して販売するための展示販売ケースに関するものである。
【０００２】
【従来の技術】
従来、スーパーマーケット等の量販店でジュース等の飲料物を内蔵した円筒状の飲料缶を販売する際に、陳列棚に並べたり、箱状のケースに積み重ねたりして展示している。
【０００３】
【発明が解決しようとする課題】
しかし飲料物の種類やブランドの数が多いため、展示スペースを多く必要とし、殊に陳列棚に平面的に並べて展示した場合には、飲料缶の数が制限されてその管理が面倒であると共に、客が手で触れることによってせっかく整然と並べた飲料缶が乱雑になって見苦しく、荷崩れが起き商品が落下したりするといった問題点があった。また、ワゴン台のような台上に乱雑に積み上げておくと、いかにも低価格品か廉売品と認識されたり、下方から取り出して購入することなく他の缶の上方に投入する等の行為により、缶にヒズミが生じ商品価値を損ねるという課題を払拭することができないものであった。
【０００４】
そこで本発明は、種類別に整然と区分けされた状態で且つ外部から容易に識別できる状態で多くの飲料缶を立体的に格納することができ、しかも所望の飲料缶を一つづつ容易に取り出すことができる飲料缶の展示販売ケースを提供することを主たる目的とするものである。
【０００５】
【課題を解決するための手段】
上記目的を達成するために本発明では次のような技術的手段を講じた。即ち本発明に係る飲料缶の展示販売ケースにあっては、缶展示ケースＡと、この缶展示ケースＡを載置する台枠Ｂとからなり、前記缶展示ケースＡは、上端に形成された缶投入口１から下端前面に形成された缶取出口３に向かって、前面側と後面側とにつづら折り状に連続しながら緩やかに傾斜した缶収納通路２を左右方向に複数列配置され、該缶展示ケースＡは缶収納通路２に収納された飲料缶Ｃが外部から透視確認できるように少なくともその一部が透明な素材で形成され、前記缶収納通路２は収納された飲料缶Ｃが自重により自然転動できる傾斜角で形成されている構造とした。これにより左右に並設した缶収納通路２の数だけ、種類の異なる飲料缶Ｃを整然と区分けした状態で缶収納通路２内に多数格納することができるとともに、下端の缶取出口３から所望の飲料缶Ｃを１個ずつ取り出すことができる。
【０００６】
前記缶収納通路２は、上端の缶投入口１から下端の缶取出口３に至る間に４０〜６０個程度の飲料缶が収納できる長さとするのが好ましい。また下端の缶取出口３では前方に突き出た舌状の受板３ａを設けて、飲料缶１個が常時前に飛び出した状態になるようにしておくと取りやすく都合がよい。これにより容易に飲料缶を取り出すことができる。
【０００７】
また、前記缶投入口１が上面に向かって開口したラッパ状の形態で形成され、これら隣接する各缶投入口が上下に少しずつ位置をずらして段差状に配置するのがよい。これによりラッパ状の缶投入口１から飲料缶Ｃを容易に缶収納通路２に充填することができると共に、限られたスペース内で隣接したラッパ状の缶投入口１の縁部が互いに当接することなく配置することができる。
【０００８】
また、前記台枠Ｂの内部を缶格納スペース５とし、台枠Ｂの壁面の一部に開閉扉６を設け、台枠Ｂの底面にキャスター７を設けた構造とするのが好ましい。これにより缶格納スペース５に予備の飲料缶Ｃを格納することができると共に、多数の飲料缶Ｃを展示ケース１に収納したまま全体を売場の希望する位置に簡単に移動させることができる。
【０００９】
【発明の実施の形態】
以下本発明の実施例を図面に基づいて説明する。図１は本発明に係る展示販売ケースの正面図、図２は一部を断面した側面図、図３は投入口部分の平面図であって、この実施例図面で示すように本発明の飲料缶の展示販売ケースは、缶展示ケースＡと、この缶展示ケースＡを載置する台枠Ｂとから成る。
【００１０】
前記缶展示ケースＡは、外枠４内で、上端に形成された缶投入口１から下端前面に形成された缶取出口３に向かって前後にジグザクしながら緩やかに傾斜した缶収納通路２を左右方向にして複数列、例えば図１で示すように横並びに５列配置して構成されている。前記缶収納通路２は上端の缶投入口１から下端の缶取出口３に至る間に約５０個程度の飲料缶が収納できる長さで形成されており、且つ収納された飲料缶Ｃが自重により自然転動できる傾斜角で形成されている。また、缶収納通路２に収納された飲料缶Ｃが外部から透視確認できるように外枠４並びに缶収納通路２が透明な素材で形成されている。これにより左右に並設した缶収納通路２の数だけ、種類の異なる飲料缶Ｃを整然と区分けした状態で且つ外部から識別できる状態で缶収納通路２内に立体的に多数格納することができる。
【００１１】
下端の缶取出口３では前方に突き出た舌状の受板３ａが設けられていて、飲料缶１個が常時前に飛び出した状態になるように設定されている。これにより客が容易に所望の飲料缶Ｃを取り出してて買い物籠に入れることができる。
【００１２】
前記各缶投入口１は、上面に向かって開口したラッパ状の形態で形成されており、これら隣接する各缶投入口１が上下に少しずつ位置をずらして段差状に配置されている。これによりラッパ状の缶投入口１から飲料缶Ｃを缶収納通路２に容易に装填することができると共に、限られたスペース内で隣接したラッパ状の缶投入口１の広がった縁部が互いに当接することなく配置することを可能とした。
【００１３】
前記台枠Ｂの内部は缶格納スペース５として形成されており、台枠Ｂの一側面に開閉扉６が設けられ、台枠Ｂの底面にキャスター７が設置されている。これにより缶格納スペース５に予備の飲料缶Ｃを格納することができると共に、多数の飲料缶Ｃを展示ケース１に収納したまま全体を売場の希望する位置に簡単に移動させることができる。
【００１４】
尚、図示は省略するが、前記缶取出口３の近傍に光センサーやリミットスイッチ等のセンサーを設けておいて、飲料缶を取り出すとこれを検知して快音が鳴るようにしてもよい。またこのセンサーを利用して数を記録して商品のトータル管理に役立てることもできる。
【００１５】
以上本発明の代表的な実施例について説明したが、本発明は必ずしも上記の実施例構造のみに特定されるものではない。例えば、缶収納通路２の数は実施例で示した５列から増減できることは勿論であり、該缶収納通路２の缶収納容積も変更することが可能である。その他本発明ではその構成要件を備え、且つ効果を有する範囲内で適宜変更して実施できることは勿論である。
【００１６】
【発明の効果】
本発明の飲料缶展示販売ケースは上記の如く構成したものであるから、左右に並設した缶収納通路の数だけ、種類の異なる飲料缶を整然と区分けした状態で且つ外部から識別できる状態で缶収納通路内に多数立体的に格納することができ、これにより売場スペースを有効に利用することができると共に、缶収納通路に収納された飲料缶が外部から透視確認できるように缶展示ケースの少なくとも一部が透明な素材で形成されているので、売場管理者は目視で飲料缶の減り具合を確認できて迅速に充填することができ、客も飲料缶の識別が容易となって購入に便利であるといった効果がある。また請求項２の構成とすることにより、ラッパ状とした投入口から  飲料缶を容易に装填することができると共に、限られたスペース内で隣接したラッパ状の缶投入口の広がった縁部が互いに当接することなく配置することができる効果がある。また請求項３の構成とすることにより缶格納スペースに予備の飲料缶を格納することができると共に、多数の飲料缶を展示ケースに収納したまま売場の希望する位置に簡単に移動させる便利な効果がある。
【図面の簡単な説明】
【図１】本発明に係る展示販売ケースの正面図。
【図２】上記展示販売ケースの一部を断面した側面図。
【図３】上記展示販売ケースの投入口部分の平面図。
【符号の説明】
Ａ  缶展示ケース
Ｂ  台枠
Ｃ  飲料缶
１  投入口
２  缶収納通路
３  取出口
５  収納スペース
６  開閉扉
７  キャスター
【図１】
2004267322.tif 000003
【図２】
2004267322.tif 000004
【図３】
2004267322.tif 000005